(57)【要約】      （修正有）【課題】ベッドが傾斜しても枕がずり落ちないようにする。【解決手段】ベッドの頭部側縁部に、弾力性を有する側面略コ字形の左右屈曲板２及び左右屈曲板の間に介装した上下連繋板５からなる保持具１を臨ませ、前記屈曲板２の上部片に枕カバーの下面に設けた帯状ポケットを嵌合するとともに枕カバーを引っ掛け具を介して連繋板５に連結固定し、しかして枕カバー側面に枕の出し入れをする開閉口を形成し、該開閉口から枕を挿入する。【選択図】図１
2013000571.tif 000002
【特許請求の範囲】
【請求項１】
ベッドの頭部側縁部に、弾力性を有する側面略コ字形の左右屈曲板及び左右屈曲板の間に介装した上下連繋板からなる保持具を臨ませ、前記屈曲板の上部片に枕カバーの下面に設けた帯状ポケットを嵌合するとともに枕カバーを引っ掛け具を介して連繋板に連結固定し、しかして枕カバー側面に枕の出し入れをする開閉口を形成することを特徴とする枕カバー固定装置。
【請求項２】
屈曲板が上部片と下部片の別体で構成され、双方の垂直面を重ね合わせて一方及び／又は双方に長孔を形成し、平面視コ字形のワッシャを端面に被装し相互をねじ止めして上部片と下部片の高さ幅調節をすることを特徴とする請求項１記載の枕カバー固定装置。
【請求項３】
枕カバー内に氷枕を収納するスペースを設けて随時患者の頭部を冷やすことを可能とする請求項１又は２記載の枕カバー固定装置。
【発明の詳細な説明】
【技術分野】
【０００１】  本発明は、病院・介護施設等のベッド上に置かれている枕がずり落ちたりむやみに移動することがなく、取替えも容易な枕カバー固定装置に関する。
【背景技術】
【０００２】  病院・介護施設などのベッドは、患者や入所者の立ち上がりを容易にするだけでなく、ベッド上で食事や読書をしたり人と会話ができるように自動で傾斜角度を変えられるようになっているが、水平状態で置かれている枕は固定されているわけではないためベッドが傾くと腰のあたりまでずり落ちてしまうことがあり、ベッド上の患者はその都度枕を引き上げるという面倒な手間を要している。ずり落ちないようにするためには枕をベッドに縫い付けるなどして固定すればよいが、枕が汚れるとその度に交換する必要があるので、枕が固定してあると取りはずすのに時間がかかって不便この上ないものである。人によっては同じ枕を使い続けることに抵抗を感じる場合もあり、したがって枕は簡単に取り外し交換ができるようにしておかなければならないことも当然といえる。また病院等の施設だけでなく最近は家庭でも傾斜角度の調節ができるベッドが普及しており、ずり落ちだけでなく枕が就寝中に移動をすることにより安眠できなくなるといった不都合も、まま経験するところである。
【先行技術文献】
【０００３】  それゆえベッドが傾いてもいたずらに移動したりずり落ちしないだけでなく交換も容易にできる枕が期待されるところであり、その解決のための技術もわずかながら存在する（例えば特許文献１参照）。
【特許文献】
【０００４】
【特許文献１】特開平８−８４７５２号公報
【発明の概要】
【発明が解決しようとする課題】
【０００５】  病院などのベッドマット（以下単にベッド）はあらかじめ所定の形どおりに製作されたものであり、患者に負担をかけない構造を有していることは当然であって、枕がずり落ちるからといって後からベッド上に穴を開けるような細工を施すことはできない。また特許文献１にみられるように頭が直接当たるカバー布の表面にサイドベルトのような別体のものを取り付けることはかえって就寝の妨げになるものである。すなわち枕に取り外しが容易な固定手段を設けることは必要でありながら現状のままであり、そのため通常は図５のように傾動自在としたベッド２０には頭部側に枕２１が単に置かれているにすぎず、このためベッド２０が傾いて患者２２の上体が起き上がって枕２１と頭との間に隙間ができると、枕２１は元の位置から落下して腰のあたりに沈んでしまい患者２２は自分の手で引き上げるか、その都度介護人などが手助けしなければならないといった不都合が生じている。また水平に置かれていても就寝中に体が動いて枕が移動すると安眠できなくなるといったことは誰もが経験するところである。【０００６】  本発明はこのような実情に鑑みてなされたものであって、枕の取り外しが簡単にできることはもちろん、ベッドが傾いても枕がずり落ちる心配がなく、就寝中も枕が正しい位置にあり、しかも取り外し取り付けが容易で簡単に洗濯ができ、既存のベッドに広く実施できる枕のずり落ち防止に適する枕カバー固定装置を提供することを目的としている。
【課題を解決するための手段】
【０００７】  そのために本発明は、ベッドの頭部側縁部に、弾力性を有する側面略コ字形の左右屈曲板及び左右屈曲板の間に介装した上下部連繋板からなる保持具を臨ませ、前記屈曲板の上部片に枕カバーの下面に設けた帯状ポケットを嵌合するとともに枕カバーを引っ掛け具を介して上部連繋板に連結固定し、しかして枕カバー側面に枕の出し入れをする開閉口を形成することを主旨とする。【０００８】  上記屈曲板が上部片と下部片の別体で構成され、双方の垂直面を重ね合わせて一方及び／又は双方に長孔を形成し、平面視コ字形のワッシャを端面に被装し相互をねじ止めして上部片と下部片の高さ調節をすることを特徴とする。【０００９】  枕カバー内に氷枕を収納するスペースを設けて随時患者の頭部を冷やすことができることを特徴としている。
【発明の効果】
【００１０】  屈曲板は弾力性を有し、布団バサミの要領でベッド縁部に係合するため簡単には脱出しないが、引き抜くときにはベッドから容易に取り外しできる。そして屈曲板の上部片に枕カバー下面の帯状ポケットが嵌合して固定されるため枕カバー内部の枕も当然ながら妄動することがない。食事時などでベッドの頭部側を立ち上がらせても枕は保持具によって固定されているためずり落ちる心配はなく、枕に頭をあてがった上体はそのままの姿勢を保つことができ、また枕は妄動せず定位置にあるため睡眠が妨げられるといった恐れはない。【００１１】  枕は開閉口から出し入れできるため固さの異なるものの交換などは簡単にでき、また枕カバーは保持具との着脱が容易であるから汚れたときには取り外して洗濯すれば絶えず清潔な状態で使用でき、枕カバー内の枕が汚れることもないため衛生上頗る効果的である。【００１２】  屈曲板の上部片と下部片の高さ幅調節をすればベッドの厚みに応じた取付がなされるため家庭用のマット・布団などにも応用でき、病院等の施設にとどまらない汎用性を備える。【００１３】  枕カバー内に別のスペースを設けると氷枕を取り付けるにも都合がよく、このため高熱を発したときには迅速に対応することができる。
【図面の簡単な説明】
【００１４】
【図１】保持具の概略図である。
【図２】枕カバーと保持具の説明図である。
【図３】ベッドに取り付けた保持具上に枕を固定した説明図である。
【図４】ベッドを傾斜させた使用状態の説明図である。
【図５】従来例を示す説明図である。
【発明を実施するための形態】
【００１５】    図面に沿って本発明の形態を説明すると、図１は左右に屈曲板２を備えた合成樹脂製（ＡＢＳ材）の保持具を示したもので、左右の屈曲板２は側面略コ字形で弾力性を有し上部片３が長く、下部片４が短く形成され、下部片４の先端部を上向きに傾斜形成してある。そして左右屈曲板２の間には、上下部に連繋板５が介装してあるため保持具１は平面視もほぼコ字形となる。因みに上部片３は２５０ｍｍ、下部片４は１４７ｍｍ、上部片３と下部片４の間隔を１０３ｍｍにとると片方の屈曲体２の長さは５００ｍｍ丁度となる。なお上部片３と下部片４は図示のように別体に形成し、双方の垂直面Ｍを重ね合わせて双方に長孔Ｎを穿ち、その箇所に平面視コ字形のワッシャＷを被装してねじ止めＫすると上部片３と下部片４の高さ幅調節ができ、このときコ字形ワッシャＷによって垂直面Ｍの両側が抑止されて正しく密接する。
【００１６】  図２は前記保持具１と枕カバー６（枕は不図示）を示したもので、枕カバー６の下面左右には前記屈曲板２の上部片３と係合する帯状ポケット７が縫着してあり、このポケット７の開口側を上部片３の端部より嵌合することで保持具１に枕カバー６が取り付けられる。また枕カバー６の側面には枕の出し入れをするための開閉口８を形成し、ホック８ａを着脱することで開閉操作がなされる。なお枕カバー６には当然ながら枕に応じて大小があるため保持具１も大小のものを用意し、またホック８ａ以外にも開閉口８に面ファスナなどを取り付けるようにしても良い。因みに介護用の枕には幅が４０ｃｍ、４５ｃｍ、５０ｃｍの３種類があり、夫々の幅の大きさに対応して、奥行き・高さなどもサイズが決められている。
【００１７】  枕カバー６には当然ながら通常の枕を収納するが、患者が発熱した場合は氷枕を収納できるように、そのためのスペースＳを設けて上部をタオル地とすれば緊急時にすこぶる役立つことこの上ない。しかして符号９は枕カバー６の端部２箇所に付設した引っ掛け具であり、上部連繋板５に先端部を掛け止めすると枕カバー６が保持具１に確固として連結固定される。図では上部連繋板５の２箇所に掛け止めできるようになっているが、引っ掛け具９の個数・大きさ・形状などは任意事項であり、たとえば枕カバー６の下面を長めに形成して上部連繋板５に巻き付け、その箇所を面ファスナで止着するなどしてもよい。
【００１８】  図３はベッド１０に取り付けた保持具１上に枕カバー６を固定した例を示したもので、保持具１はベッド１０の縁部１１に取り付けてあり、前記した上・下部片３・４がベッド１０に密着するためその弾力性と相まって保持具１は固定されるが、ベッドの縁部１１に応じて前述のとおり屈曲板２の高さ幅調節をすれば取付は不動状となる。病院等の施設によってベッドの厚みに相違があることも当然であるが、屈曲板２の高さ幅調節が可能であればそれらにも対応でき更には家庭用のベッド等にも利用ができる。枕カバー６は屈曲板２の上部片３に帯状ポケット７が係合しているのでそれだけでも保持具１から容易に脱出はしないが、更に引っ掛け具９を介して連繋板５と結合するため患者の動きやベッド１０が傾動しても固定状態を維持する。そして枕カバー６は連繋板５より引っ掛け具９を外し、屈曲板２から帯状ポケット７を引き抜くだけの操作で保持具１から簡単に取り外せるため、汚れたときには速やかに洗濯できて常に清潔な枕カバーを患者等に提供できるとともに枕の汚れも可及的回避できるため衛生上もコスト的にも本発明の使用価値は大きいといえる。
【００１９】  保持具１に固定された枕カバー６は図４に示したとおり、ベッド１０を傾斜させてもずり落ちることがなく、例え患者の頭が枕から離れても重みで落下することはない。そして再びベッド１０が元の水平位置に戻っても枕カバー６はいつも同じ位置、つまりベッド１０の頭部側中央に位置しており、従来のように横にずれた枕を元に戻すといった手間を要しないですむ。患者によっては枕を元に戻すことすらままならない症状の者もおり、この点本発明により枕が常に同じ位置に固定されていれば無用の心配をしないですむ。また枕が常に定位置にあれば、通常のマット・布団であっても健常人が枕の移動によって睡眠が妨げられるといった不都合も生じないため安眠するのにも好適する。
【００２０】  上記した実施の形態は本発明の一例を示したものであり、保持具１における屈曲板２、連繋板５、引っ掛け具９、枕カバー６などの形状・材質及び本発明の目的効果を奏する範囲における変形・付加事項などは本発明の実施の範疇に属する。
【符号の説明】
【００２１】  １    保持具
２    屈曲板
３    上部片
４    下部片
５    上下部連繋板
６    枕カバー
７    帯状ポケット
８    開閉口
９    引っ掛け具
１０  ベッド
１１  縁部
Ｍ    垂直面
Ｎ    長孔
Ｗ    ワッシャ
Ｋ    ねじ止め
Ｓ    スペース
【図１】
2013000571.tif 000003
【図２】
2013000571.tif 000004
【図３】
2013000571.tif 000005
【図４】
2013000571.tif 000006
【図５】
2013000571.tif 000007